(57)【要約】【課題】被写体状態に関らず常に的確な閃光発光の調光制御を行なってその被写体状態に最適な画像データを得られるカメラ及び電子カメラを提供する。【解決手段】被写体状態を検出する第１の検出部と、予備発光時の測光結果と非発光時の測光結果とを比較して撮影時の閃光発光量を決定する第２の検出部とを有する第１の調光手段と、被写体までの距離に基づいて撮影時の閃光発光量を決定する第２の調光手段と、被写体状態に基づいて第１の調光手段と第２の調光手段とを切り換える切換手段とを具備して構成する。【選択図】    図７
2004264783.tif 000002
【特許請求の範囲】
【請求項１】
被写体状態を検出する第１の検出部と、予備発光時の測光結果と非発光時の測光結果とを比較して撮影時の閃光発光量を決定する第２の検出部とを有する第１の調光手段と、
被写体までの距離に基づいて撮影時の閃光発光量を決定する第２の調光手段と、
被写体状態に基づいて上記第１の調光手段と上記第２の調光手段とを切り換える切換手段と、
を具備して構成したことを特徴とするカメラ。
【請求項２】
被写体状態が逆光状態であることが検出された場合には、上記第２の調光手段は、被写体輝度と被写体距離によって撮影時の閃光発光量を決定することを特徴とする請求項１に記載のカメラ。
【請求項３】
撮像手段と、閃光発光手段とを有するカメラにおいて、
撮影に先立って上記閃光発光手段を発光させたときに被写体によって反射して上記撮像手段に入射する光量を測定し、その測定結果に基づいて撮影時の閃光発光量を決定する第１の調光手段と、
被写体までの距離を測定し、その測定結果に基づいて撮影時の閃光発光量を決定する第２の調光手段と、
上記第１の調光手段と上記第２の調光手段とを切り換える切換手段と、
からなることを特徴とするカメラ。
【請求項４】
上記切換手段は撮影画面内の輝度分布を判別する被写体判別手段を有し、この被写体判別手段によって被写体が逆光状態又は所定の反射率を超えることを検知した場合には、上記第２の調光手段によって決定される閃光発光量で撮影を行なうように構成されていることを特徴とする請求項３に記載のカメラ。
【請求項５】
撮像手段と、閃光発光手段とを有するカメラにおいて、
撮影に先立って上記閃光発光手段を発光させたときに被写体から反射して上記撮像手段に入射する光量を測定し、撮影時の閃光発光量を決定する第１の調光手段と、
被写体までの距離を測定して、その測定結果に基づいて撮影時の閃光発光量を決定する第２の調光手段と、
撮影に先立って上記第１の調光手段及び上記第２の調光手段によって閃光発光量を算出し、上記第２の調光手段によって決定される閃光発光量よりも上記第１の調光手段によって決定される閃光発光量が小さい場合には、上記第２の調光手段による閃光発光量に基づいて本発光撮影を行なう制御手段を有することを特徴とするカメラ。
【請求項６】
閃光発光手段を有する電子カメラにおいて、
閃光調光用の測光手段と、
被写体までの距離を求める測距手段と、
撮影に先立って上記閃光発光手段の発光による被写体からの反射光を上記測光手段によって検出することで、撮影時の閃光発光量を決定する第１の発光量算出手段と、
被写体までの距離によって撮影時の閃光発光量を決定する第２の閃光発光量算出手段と、
上記第１及び第２の閃光発光量算出手段により算出された閃光発光量に応じたパラメータを用いて画像処理行なう画像信号処理手段と、
を具備することを特徴とする電子カメラ。
【発明の詳細な説明】
【０００１】
【発明の属する技術分野】
この発明は、カメラ及び電子カメラ、詳しくは閃光発光装置による補助照明光の光量を制御する調光技術に関するものである。
【０００２】
【従来の技術】
従来より、写真用フイルムを用いて写真撮影等を行なう写真撮影機等や被写体像を電子的な画像データとして記録する電子カメラ等（以下、単にカメラという）を用いて撮影を行なう際には、その撮影環境が低輝度である等の撮影条件に応じて所望の被写体に対し閃光発光装置（閃光発光手段）による補助照明光の照射を伴う撮影いわゆる閃光撮影が行われることがある。
【０００３】
このような閃光撮影を行なう場合において確実な撮影結果を得るための技術として、例えば閃光発光装置によって発光する補助照明光の光量等を自動的に制御して適切な露出を得るようにするさまざまな方式の調光システムが、従来より実用化されている。例えば閃光発光装置のガイドナンバーと被写体までの距離に応じて閃光発光装置の発光量を調節するフラッシュマチック方式や、被写体によって反射する反射光を受光してその光量を検出し、当該反射光量に基づいて閃光発光装置の発光量を調節する像面反射光測光（ＴＴＬダイレクト測光）を用いた方式の自動調光システム等がある。
【０００４】
このように閃光撮影を行なう際に閃光発光装置の発光制御等を行なって適正な露出を得ることができるようにした従来の方式の調光システムにおいては、反射光が一定の光量となるような制御が行なわれる。このことから被写体自体の反射率等に起因して測光誤差が生じ易い傾向がある。
【０００５】
例えば撮影対象となる主要被写体の背景に白壁や反射率の高い物体（光沢面を有するポスター紙等）が存在しているような場合等には、その背景物からの反射光量が主要被写体に比べて強くなる。このような状態においては、背景物からの反射光量を抑えるような調光制御が行なわれることになるので、撮影の主体となる主要被写体が露出不足になってしまう場合がある。
【０００６】
また、太陽や電灯等の明るい光源等が主要被写体を含む画面内に存在するような状態、いわゆる逆光状態においては、被写体からの反射光束と、光源等からの光束との分離をすることができないことに起因して測光誤差が生じる場合がある。したがって、この場合にも正確な調光制御を行なうことができず、撮影の主体となる主要被写体が露出不足になってしまうことがある。
【０００７】
そこで、被写体の反射率を考慮した調光システムについての提案が、例えば特開平１０−２２１７３５号公報や特開平１１−１１９２８９号公報等によって、従来より種々なされている。
【０００８】
上記特開平１０−２２１７３５号公報によって開示されているカメラの自動調光装置は、主に小型のカメラ等に適用される調光システムについての改善案である。当該公報に開示されているカメラの自動調光装置は、露出動作に先立って閃光発光装置による予備発光を行なって、その予備発光の動作中に測定した被写体輝度と、測距手段によって得られる被写体までの距離とに基づいて実際の露出動作時における閃光発光（本発光）の光量を決定する制御を行なうようにしている。これによって、被写体の反射率に関わりなく適正な露出で撮影を行なうことができるというものである。
【０００９】
また、上記特開平１１−１１９２８９号公報によって開示されているカメラの調光装置においては、被写体からの反射光を受光して検出される光量に基づいて算出される閃光発光の光量と、被写体までの距離に基づいて算出される閃光発光の光量とによって、その被写体に適正となる発光光量を決定するようにしている。これにより、撮影を所望する主被写体の背景状態の影響を排除して、被写体の反射率によって生じる露出誤差を抑制し、適正な露出で撮影を行なうことができるというものである。
【００１０】
一方、近年においては、撮像素子等の撮像手段を用いて被写体像を光電変換し、これによって得られた電気信号（画像信号）を所定の記録媒体に所定の形態で記録する電子スチルカメラ等が一般的に広く普及しつつある。
【００１１】
【特許文献１】
特開平１０−２２１７３５号公報
【００１２】
【特許文献２】
特開平１１−１１９２８９号公報
【００１３】
【発明が解決しようとする課題】
ところが、上述の特開平１０−２２１７３５号公報・特開平１１−１１９２８９号公報等によって開示されている手段は、主に写真用フイルムを用いて写真撮影等を行なうカメラについて適用される場合の例が示されているのみであり、これをそのまま電子スチルカメラに適用することはできるが、その場合においては、必ずしも常に良好な撮影結果を得られるとは限らない。
【００１４】
本発明は、上述した点に鑑みてなされたものであって、その目的とするところは、閃光発光を伴う撮影を行なうのに際して、主要被写体の背景状態等の撮影条件によって生じる測光誤差を考慮して閃光発光装置による調光制御を正確に行ない、これにより撮影を所望する撮影環境における被写体の状態に関らず常に適切な露出で撮影を行なうことができ、よって常に良好な撮影結果を得ることができるように構成したカメラ及び電子カメラを提供することである。
【００１５】
また、本発明の目的は、主要被写体の背景からの光束に影響されずに、常に的確な閃光発光の調光制御を行なって、被写体状態に適した画像データを得ることができるように構成したカメラ及び電子カメラを提供することである。
【００１６】
【課題を解決するための手段】
上記目的を達成するために、第１の発明によるカメラは、被写体状態を検出する第１の検出部と、予備発光時の測光結果と非発光時の測光結果とを比較して撮影時の閃光発光量を決定する第２の検出部とを有する第１の調光手段と、被写体までの距離に基づいて撮影時の閃光発光量を決定する第２の調光手段と、被写体状態に基づいて上記第１の調光手段と上記第２の調光手段とを切り換える切換手段とを具備して構成したことを特徴とする。
【００１７】
また、第２の発明は、上記第１の発明によるカメラにおいて、被写体状態が逆光状態であることが検出された場合には、上記第２の調光手段は、被写体輝度と被写体距離によって撮影時の閃光発光量を決定することを特徴とする。
【００１８】
そして、第３の発明によるカメラは、撮像手段と、閃光発光手段とを有するカメラにおいて、撮影に先立って上記閃光発光手段を発光させたときに被写体によって反射して上記撮像手段に入射する光量を測定し、その測定結果に基づいて撮影時の閃光発光量を決定する第１の調光手段と、被写体までの距離を測定し、その測定結果に基づいて撮影時の閃光発光量を決定する第２の調光手段と、上記第１の調光手段と上記第２の調光手段とを切り換える切換手段とからなることを特徴とする。
【００１９】
第４の発明は、上記第３の発明によるカメラにおいて、上記切換手段は撮影画面内の輝度分布を判別する被写体判別手段を有し、この被写体判別手段によって被写体が逆光状態又は所定の反射率を超えることを検知した場合には、上記第２の調光手段によって決定される閃光発光量で撮影を行なうように構成されていることを特徴とする。
【００２０】
第５の発明によるカメラは、撮像手段と、閃光発光手段とを有するカメラにおいて、撮影に先立って上記閃光発光手段を発光させたときに被写体から反射して上記撮像手段に入射する光量を測定し、撮影時の閃光発光量を決定する第１の調光手段と、被写体までの距離を測定して、その測定結果に基づいて撮影時の閃光発光量を決定する第２の調光手段と、撮影に先立って上記第１の調光手段及び上記第２の調光手段によって閃光発光量を算出し、上記第２の調光手段によって決定される閃光発光量よりも上記第１の調光手段によって決定される閃光発光量が小さい場合には、上記第２の調光手段による閃光発光量に基づいて本発光撮影を行なう制御手段を有することを特徴とする。
【００２１】
第６の発明による電子カメラは、閃光発光手段を有する電子カメラにおいて、閃光調光用の測光手段と、被写体までの距離を求める測距手段と、撮影に先立って上記閃光発光手段の発光による被写体からの反射光を上記測光手段によって検出することで、撮影時の閃光発光量を決定する第１の発光量算出手段と、被写体までの距離によって撮影時の閃光発光量を決定する第２の閃光発光量算出手段と、上記第１及び第２の閃光発光量算出手段により算出された閃光発光量に応じたパラメータを用いて画像処理行なう画像信号処理手段とを具備することを特徴とする。
【００２２】
【発明の実施の形態】
以下、図示の実施の形態によって本発明を説明する。
図１は、本発明の第１の実施形態のカメラにおける電気回路のブロック構成図である。
【００２３】
本実施形態のカメラは、例えばＣＣＤ等の撮像素子等の撮像手段を利用して撮影光学系により結像される被写体像を光電変換し、これによって得られた電気信号（画像信号）を所定の記録媒体に所定の形態で記録するように構成される電子スチルカメラ（以下、電子カメラ又は単にカメラという）である。そして、本実施形態においては、撮影光学系と撮像素子の間の構成が比較的簡単に構成されるいわゆるコンパクトタイプの電子カメラを例に挙げて説明している。
【００２４】
図１に示すように本実施形態のカメラ１は、複数の光学レンズ等からなり被写体からの反射光束を集光し被写体像を結像させる撮影光学系１２と、この撮影光学系１２を介して入射する光束が照射され当該光束により形成される光学的な被写体像についての光電変換処理等を行なって被写体像を表わす画像信号を生成する撮像素子１３と、この撮像素子１３により生成され出力される画像信号（アナログ信号）を所定の形態のデジタル画像信号に変換するＡＤ変換部１３ａ（図１ではＡＤ部１３ａと表記）と、このＡＤ変換部１３ａによって変換済みの画像信号に基づいて所定の信号処理、即ち当該画像データによって表わされるべき画像の色調・階調・γ（ガンマ）補正等の調整等の信号処理を行なうと共に記録するのに適する圧縮形態の画像データを生成する画像信号処理手段である画像信号処理部１４と、この画像信号処理部１４によって生成される画像データを所定の形態で記録する各種の媒体等及びその駆動部等からなる記録媒体部１６と、撮影光学系１２を所定のときに所定の方向（光軸に沿う方向）へと移動させるレンズ駆動部（ＬＤ）１２ａと、撮影光学系１２の位置を検出するレンズ位置検出部１２ｂと、画像信号処理部１４の出力から被写体のコントラスト信号を検出し所定の信号処理を行なった結果得られた合焦位置とレンズ位置検出部１２ｂによって検出されるレンズ位置との関係からカメラ１から被写体までの距離Ｌ（以下、被写体距離Ｌという）を算出する演算制御回路１１と、この演算制御回路１１を起動せしめる操作スイッチ１８と、被写体（１１０・１１０ａ）を含む所望の撮影環境が暗い場合等に補助照明光を発光させる閃光発光部１５及びこの閃光発光部１５の発光用エネルギーのチャージや発光制御を行なう閃光発光部制御部１５ａからなる閃光発光手段である閃光発光装置等によって構成されている。
【００２５】
演算制御回路１１は、例えばＣＰＵ（Ｃｅｎｔｒａｌ  Ｐｒｏｃｅｓｓｉｎｇ  Ｕｎｉｔ）等のワンチップマイクロコントローラー等によって構成されている。そして、当該演算制御回路１１は、本カメラ１の操作者によって操作される操作部材（図示せず）に連動する操作スイッチ１８からの信号の検出及びそれに応じた各種の制御処理をはじめとして、上述の被写体距離Ｌを算出する測距手段としての演算処理やレンズ駆動部１２ａの駆動制御・撮影時の閃光発光部１５による発光光量の制御・撮像素子１３により生成される画像信号の信号処理・画像データを記録媒体部１６の記録媒体に記録する際の記録制御等、本カメラ１の全体の制御を司るものとして配設されている。
【００２６】
なお、本実施形態においては、演算制御回路１１によって行なわれる制御処理のうち特に閃光発光部１５による閃光発光量の調節等の処理、即ち調光処理について詳しく説明するものとし、その他の機能については、本発明に直接関与するものではないことから、従来の一般的な電子カメラ等によって実行される制御処理が行なわれるものとして、その詳細な説明は省略する。
【００２７】
また、画像信号処理部１４は、特にガンマ（γ）補正処理を行なうべき所定の回路であるγ補正回路１４ａを備えて構成されている。
【００２８】
ところで、従来のカメラにおいて、撮影動作を行なう際の閃光発光部１５による発光量の制御方式（調光方式とも言う）としては、撮影動作に先立って閃光発光部１５を所定の微光量で発光させる予備発光（プリ発光）動作を実行して、そのときの撮影画面上における光量分布の状態（被写体状態）を検出することで、撮影動作時の発光量（本発光時の発光量）を算出するいわゆる予備発光調光方式（プリ発光方式とも言う）のものが従来より一般に実用化されている。
【００２９】
このように実際の撮影動作（画像取得動作）時に使用する撮影光学系１２を介した光束に基づいて閃光発光の評価を行なうようにすれば、いわゆるバウンス撮影（図２参照）や写真用光学フイルター１２ｃ等（以下、光学フイルター１２ｃと略記する）を使用する撮影（図３参照）時にも、正確かつ高精度の閃光発光装置の発光制御や露出制御を容易に行ない得る構成であると言える。
【００３０】
ここで、バウンス撮影とは、図２に示すように閃光撮影を行なうのに際して閃光発光部１５から照射される補助照明光を主要被写体１１０に向けて直接照射するのではなく、例えば所定の反射板（図示せず）や壁・天井１１１等に反射させて、その反射光を拡散性の高い間接光として主要被写体１１０に照射して撮影を行なうことを言う。このようにすることで、閃光発光部１５からの補助照明光を被写体に向けて直接照射した場合に比べて不自然な影の発生を防ぐことができ、よってより自然な写真又は画像を取得し得る。
【００３１】
また、光学フイルター１２ｃは、図３に示すように撮影光学系１２の前端部又は後端部近傍等の光軸上に配置することで、撮影光学系１２によって形成される被写体１１０ｂに対応する被写体像に対して各種の特殊効果を施すようにするために用いられるものである。
【００３２】
一方、従来の一般的なカメラにおいては、上述の予備発光調光方式とは別の調光方式として、被写体像の結像面又はその近傍に所定の光量検出センサーを設け、結像面への入射光量が予め設定される所定の基準値（レベル値）に到達した時点で閃光発光部による補助照明光の照射を停止させるようにしたＴＴＬダイレクト調光方式を適用したものが従来より一般的に実用化されている。この調光方式は、上述したように閃光発光部の照射光束に追従して応答する特殊センサー（光量検出センサー）を必要とするために従来の電子カメラでは一般的には適用されていないものである。
【００３３】
他方、閃光発光部と被写体との間の離間距離Ｌ（図２参照）と、撮影光学系の絞りやフイルム又は撮像素子の感度等の情報に基づいて閃光発光量（ガイドナンバー；ＧＮｏ）を決定するいわゆるフラッシュマチック方式と呼ばれる調光方式は、主に従来の写真用フイルムを用いる小型カメラ等において広く適用されているものである。
【００３４】
ところが、フラッシュマチック方式を用いたものでは、所定の撮影条件下では正確な調光を行なうことができない場合がある。例えば、上述の図２に示すようなバウンス撮影の場合には、閃光発光部１５と天井１１１等のバウンスさせる物体までの距離や天井の反射率等の条件が変動してしまうことから、フラッシュマチック方式ではこれに対応することができない。つまり、この場合には閃光発光部１５から照射される補助照明光は、天井１１１等に反射した後、主要被写体１１０に到達することになるので、単純に被写体距離Ｌによって算出される光量だけでは光量不足となってしまう。
【００３５】
また、図３に示すように撮影光学系１２に加えて光学フイルター１２ｃを用いた場合には、撮影光学系１３に入射する光量は光学フイルター１２ｃによって減衰することに起因して、フィラッシュマチック方式のものでは正しい調光が困難である。つまり、この場合には、光学フイルター１２ｃによる透過光束の減衰分の光量だけ不足することになる。
【００３６】
一方、図４は主要被写体の背景に高反射率の被写体が存在する場合の構図の一例を示す図である。この図４に示すような状態、即ち撮影画面１２０の範囲内で主要となる被写体１１０（図４では人物としている）の背景部分に例えば反射率の高い光沢紙等からなるポスター等の高輝度となる物体１１０ａが存在している状態で閃光撮影を行なう場合を考えてみる。
【００３７】
このような被写体状態において、撮影画面１２０内の所定の位置ｙ（図４において点線ｙで示す位置；画面略中央部位）近傍の所定領域における輝度分布を調べてみると図５に示すようになる。この図５において、閃光発光を行なった場合の輝度分布曲線を実線で、閃光発光を行なわない場合の輝度分布曲線を点線で、それぞれ示している。
【００３８】
この場合において、予備発光調光方式では、閃光発光時に撮影画面１２０内での輝度分布を考慮した発光量の制御が行われることになる。したがって、予備発光調光方式による撮影を行なった場合、背景にある高輝度物体１１０ａについての露出が適正となる一方、主要被写体１１０についての露出が過小となってしまう傾向がある。
【００３９】
また、図６に示すような被写体状態、即ち主要被写体の背景に太陽等の高輝度物体１１２が存在するいわゆる逆光状態では、背景からの光束が強過ぎることから、閃光発光装置による微光量の照射では、主要被写体１１０（図６では人物としている）に対する閃光発光による照射光が正しく検出されないこともあり、よって正しい調光を行なうことができない場合もある。さらに、背景の高輝度物体１１２に対して露出の適正化を行なうべく制御を行なった場合には、主要被写体１１０についての露出が過小となってしまうことになる。
【００４０】
そこで、本実施形態のカメラにおいては、測光手段であり第１の検出部による被写体状態の検出結果と、測光手段であり第２の検出部による予備発光時の測光結果及び非発光時の測光結果とに基づいて閃光発光量を決定する第１の調光手段であり第１の発光量算出手段と、被写体距離によってフラッシュマチック方式による第２の調光手段であり第２の発光量算出手段とを備え、被写体の輝度状態（被写体状態）によって二つの調光手段を切り換えて調光制御を行ない得るようにしている。
【００４１】
即ち、図７は、本発明の第１の実施形態のカメラによる撮影動作時の作用を説明するフローチャートである。この図７のフローチャートに基づいて本実施形態のカメラの撮影動作の流れを以下に説明する。
【００４２】
まず、本実施形態のカメラ１の電源がオン状態にあるときに当該カメラ１の使用者が所定の操作部材、例えばシャッターレリースボタン（図示せず）等を操作することにより、ステップＳ１の処理が開始される。
【００４３】
ステップＳ１において、操作がなされた所定の操作部材に連動する操作スイッチ１８からの信号を受けて、演算制御回路１１は所定の合焦動作を実行する。その後、ステップＳ２の処理に進む。
【００４４】
この合焦動作は次のように行なわれる。まず、被写体からの光束は撮影光学系１２を透過した後、撮像素子１３の受光面上に到り、ここに被写体像が結像される。この被写体像は撮像素子１３によって光電変換されて画像信号（アナログ信号）が出力される。このアナログ画像信号はＡＤ変換部１３ａによってデジタル形式の画像信号に変換された後、画像信号処理部１４に出力されここで所定の画像信号処理が施されることにより、所定の画像信号が取得される。この一連の処理が連続的に繰り返されることになる。
【００４５】
この場合において、演算制御回路１１はレンズ駆動部１２ａを介して撮影光学系１２を駆動制御することにより、コントラストの異なる複数の画像信号を取得する。そして、当該演算制御回路１１はコントラスト判定部１７を介して画像信号処理部１４より主要被写体のコントラストを表わす所定の信号を取得して、その信号変化に基づき主要被写体のコントラストが最も高くなるときの撮影光学系１２の位置、つまり合焦位置を検出する。
【００４６】
次にステップＳ２において、上述のステップＳ１において検出された合焦状態における撮影光学系１２の位置情報に基づいて被写体距離Ｌ（図１参照）を算出する。その後、ステップＳ３の処理に進む。
【００４７】
なお、上述のステップＳ１・Ｓ２の処理で示す被写体距離決定シーケンスは、これとは別の手段によってもよい。例えば三測距方式の距離測定手段によって被写体距離Ｌの検出を行なった後、これにより検出された被写体距離Ｌに対して撮影光学系１２の駆動制御を行なって焦点調節動作を実行するといった処理に置き換えることもできる。
【００４８】
続いてステップＳ３において、上述のステップＳ２において取得された被写体距離Ｌに関する情報と撮影光学系１２に設定されている絞り値ＡＶ（Ａｐｅｒｔｕｒｅ  Ｖａｌｕｅ）及び撮像素子１３の感度等の各種情報を用いて必要となる閃光発光量（ガイドナンバー）ＧＮｏ１を設定する。即ち、
ＧＮｏ１←Ｌ×Ａｖ×（１／√２）
ここで、距離測定誤差等が生じた場合に光量が過多となると撮像素子１３のダイナミックレンジの上限を越えて像情報が失われてしまうことになる。このことを考慮して、上式では（１／√２）を乗じることによって予め光量を抑えた値を算出するようにしている。
【００４９】
なお、ここで算出されるガイドナンバーＧＮｏ１は、フラッシュマチック調光方式による閃光発光量の値と同様のものである。その後、ステップＳ４の処理に進む。
【００５０】
また、上式においては撮像素子１３の感度をフイルム感度ＩＳＯ１００相当であるものとしている。
【００５１】
次にステップＳ４において、演算制御回路１１は閃光発光部制御部１５ａを介して閃光発光部１５を制御して予備発光動作を行なうと共に、その時の撮影画面内の測光動作を実行する。また、これと同時に閃光発光を伴わない場合（非発光時）の測光動作を実行する。その後、ステップＳ５の処理に進む。
【００５２】
なお、このステップＳ４で実行される測光動作は、撮像素子１３の出力に基づいて行なわれる処理であって、従来の一般的な電子カメラにおいてなされる処理と同様の処理が行なわれる。
【００５３】
ステップＳ５において、演算制御回路１１は上述のステップＳ４で実行された閃光発光時と非発光時の測光結果に基づいてその撮影画面内の輝度差ΔＥＶを算出する。その後、ステップＳ６の処理に進む。
【００５４】
ステップＳ６において、演算制御回路１１は上述のステップＳ５における輝度差ΔＥＶの算出結果に基づいて、その撮影画面が逆光状態にあるか否かの判断を行なう。この場合において、例えば上述の図６に示すようにその撮影画面が逆光状態にある場合の測光結果は図８に示すようになる。この図８においては、画面内の輝度差ΔＥＶが大きくかつ画面略中央部近傍の輝度ＢＶ１は周辺部の輝度に比べて小さくなっている。このような場合には、その撮影画面は逆光状態にあると考えられる。つまり、演算制御回路１１は被写体状態を検出する第１の検出部の役目をしている。
【００５５】
ここで、逆光状態にあると判断された場合には、ステップＳ７の処理に進む。また、逆光状態ではないと判断された場合にはステップＳ１０の処理に進む。
【００５６】
上述のステップＳ６において逆光状態にあると判断されてステップＳ７の処理に進むと、このステップＳ７において、演算制御回路１１はガイドナンバー切換フラグＦＧＣを「１」に設定した後、次のステップＳ８の処理に進む。
【００５７】
ステップＳ８において、演算制御回路１１は、上述のステップＳ３において被写体距離Ｌから算出したガイドナンバー（ＧＮｏ１）から非発光時の輝度ＢＶ１を考慮した所定の値を発光制御光量ＧＮｏとして設定する。
【００５８】
即ち、
ＧＮｏ←ＧＮｏ１×（１／√２）ΔＢＶ
このように、本実施形態において被写体が逆光状態にある場合の調光制御を行なうのに際しては、フラッシュマチック方式の調光制御の結果得られるガイドナンバー（ＧＮｏ１）に対して、さらに非発光時の主要被写体１１０の輝度ＢＶ１（図８参照）を考慮している。このことは次に示すような理由による。
【００５９】
即ち、撮影画面が図６に示すような逆光状態にある場合に予備発光方式の調光制御を行なったとすると、その測光結果に誤差が生じ易いことは上述した通りである。しかし、この場合においては、背景の輝度に対して主要被写体の輝度が暗いとはいえ、撮影環境が野外であれば例えば室内等における撮影環境のときに比べて全体の輝度は明るくなり、これに伴って主要被写体の輝度自体も明るくなっているはずである。したがって、このような被写体の状態を考慮して、フラッシュマチック方式の調光制御によって算出されるガイドナンバー（ＧＮｏ１）対して非発光時の主要被写体１１０の輝度ＢＶ１を考慮することにより、閃光発光量（ガイドナンバー）の加減をしている。その後、ステップＳ１６に進む。
【００６０】
一方、上述のステップＳ６において逆光状態ではないと判断された場合においても、図４に示すような撮影画面の場合では予備発光時の測光結果に基づいて算出される発光量には誤差が生じ易い傾向がある。つまり、背景にある物体１１０ａ等からの反射光量が大きく測定されることから、その反射光量に影響されて主要被写体１１０を適正に露出するための必要な閃光発光量が不足しがちになり、よって当該主要被写体１１０が露出過小になってしまうことがある。
【００６１】
そこで、上述のステップＳ６において逆光状態ではないと判断されてステップＳ１０の処理に進んだ場合においても、本実施形態のカメラ１では、設定すべき閃光発光量の補正を行なう制御がなされる。
【００６２】
即ち、まずステップＳ１０において、演算制御回路１１は上述のステップＳ４で取得した予備発光の有無による測光結果に基づいて本発光時に発光すべき閃光発光量ＧＮｏ２を算出する。このガイドナンバーＧＮｏ２は、予備発光調光方式による閃光発光量の値と同様のものである。その後、ステップＳ１１の処理に進む。つまり、演算制御回路１１は閃光発光時と非発光時の測光結果を比較して本発光時（撮影時）の閃光発光量を決定する第２の検出部の役目をしている。
【００６３】
ここで、予備発光調光方式によって本発光時の閃光発光量（ガイドナンバー）ＧＮｏ２を算出する方法について以下に簡単に説明する。
【００６４】
図９は、図４に示す被写体状態で所定の撮影画面内において予備発光を行なった場合及び非発光時のそれぞれの輝度分布を示す図である。また、図１０は、図９と同じ撮影画面内において本発光を行なう際に得られるものと予想される輝度分布及び非発光時の実際の輝度分布を示す図である。なお、図９・図１０において、閃光発光を行なった場合の輝度分布曲線を実線で、閃光発光を行なわない場合の輝度分布曲線を点線で、それぞれ示している。また、同図において符号Ｙで示す点線は、適正な輝度となる所定の基準値（以下、適正輝度基準値という）を示している。なお、図９・図１０に示される輝度分布は、例えば撮像素子１３の出力信号を受けて演算制御回路１１によって検出され得るものである。
【００６５】
ここで、図９に示すように予備発光時の最大輝度を示す点の値と適正輝度基準値Ｙとの差をΔＢＶ０とし、予備発光時と非発光時との輝度変化はΔＢＶ１とすると、予備発光時の光量に対して「ΔＢＶ０／ΔＢＶ１」倍の光量を設定し、これによって本発光動作を実行すれば、図１０に示すように被写体を含む画面全体を所定のダイナミックレンジに収めた画像信号を取得することができる。
【００６６】
ここで、予め設定される予備発光時の光量をＧＮｏ＝２とし、実際の露出時には予備発光時の光量の約四倍の光量が必要になるものとすると、この場合におけるＧＮｏ２は、
ＧＮｏ２＝２×√４
＝４
となる。
【００６７】
図７に戻って、ステップＳ１１において、上述のステップＳ１０の処理で算出される本発光時の発光量ＧＮｏ２（予備発光動作に基づく演算結果）と、上述のステップＳ３の処理で算出される本発光時の発光量ＧＮｏ１（フラッシュマチック方式での演算結果）とを比較する。これはガイドナンバーＧＮｏ２の信頼性を調べるための処理ステップである。この処理ステップは、主要被写体以外の背景部分の反射率の高低を検出する処理ステップである。
【００６８】
換言すれば、ガイドナンバーＧＮｏ１に比べてガイドナンバーＧＮｏ２が小さいとき（ＧＮｏ２＜ＧＮｏ１）は、予備発光動作による反射光が大きいことを意味し、背景反射率が高い場合や逆光状態等の場合が想定されることから調光誤差が生じているものと考えられる。したがって、この場合には、ステップＳ１２の処理に進む。
【００６９】
ステップＳ１２において、演算制御回路１１はガイドナンバー切換フラグＦＧＣを「１」に設定し、次のステップＳ１３の処理に進み、このステップＳ１３において、演算制御回路１１は上述のステップＳ３において算出したフラッシュマチック方式によるガイドナンバーＧＮｏ１を本発光時のガイドナンバーＧＮｏとして設定する（ＧＮｏ←ＧＮｏ１）。その後、ステップＳ１６の処理に進む。
【００７０】
このように、上述のステップＳ６において逆光状態ではないと判断され、かつ上述のステップＳ１１において背景に反射物体等が存在する等の被写体状態であるために調光誤差が生じているものと判断された場合には、フラッシュマチック方式の調光制御（第２の調光手段）による撮影を行なうようにしている。つまり、この場合における演算制御回路１１は、撮影画面内の輝度分布を判別する被写体判別手段としての機能によって被写体状態を検出し、被写体状態が逆光状態又は所定の反射率を越えていることを検知すると、第２の調光手段（フラッシュマチック方式の調光制御）による撮影を行なうように切り換える切換手段としての機能を備えた制御手段としての役目を備えている。
【００７１】
これによって、図４に示すような被写体状態においても主要被写体１１０に対して充分な補助照明光を照射し得る閃光発光撮影行なうことができるので、良好な撮影結果を得ることができることになる。
【００７２】
また一方、上述のステップＳ１１において、ガイドナンバーＧＮｏ１に比べてガイドナンバーＧＮｏ２が大きい又は等しい（ＧＮｏ２≧ＧＮｏ１；ＧＮｏ２＜ＧＮｏ１以外の状態）ことが確認されるとステップＳ１４の処理に進む。
【００７３】
ステップＳ１４において、演算制御回路１１はガイドナンバー切換フラグＦＧＣを「０」に設定し、次のステップＳ１５の処理に進み、このステップＳ１５において、演算制御回路１１は上述のステップＳ１０で算出した予備発光方式（第１の調光手段）によるガイドナンバーＧＮｏ２を本発光時のガイドナンバーＧＮｏとして設定する（ＧＮｏ←ＧＮｏ２）。その後、ステップＳ１６の処理に進む。
【００７４】
このように、上述のステップＳ６において逆光状態ではないと判断され、かつ上述のステップＳ１１において背景に反射物体等が存在する等の被写体状態でもないと判断された場合には、予備発光方式の調光制御による撮影を行なうようにしている。これによって、図２・図３に示すような被写体状態においても主要被写体１１０に対して充分な補助照明光を照射し得る閃光発光撮影行なうことができるので、良好な撮影結果を得ることができることになる。
【００７５】
つまり、図２・図３に示す被写体状態において、予備発光方式の調光制御による撮影を行なった場合のガイドナンバー（閃光発光量）は、フラッシュマチック方式の調光制御によって決定される閃光発光量よりもその光量が増加する傾向にある。換言すれば、図２に示す如き被写体状態（バウンス撮影の場合）では閃光の照射経路が本来の被写体距離よりも長い距離となりかつ天井等による閃光の減衰を考慮して、また図３に示す如き被写体状態（撮影光学系１２に光学フイルター１２ｃを含む場合）では光学フイルター１２ｃによる透過光の減衰を考慮して、ガイドナンバー（閃光発光量）ＧＮｏ２を大きくするように設定する必要がある。したがって、このことから上述のステップＳ１１の処理においてはステップＳ１４の処理の側に分岐させることになる。
【００７６】
図７のステップＳ１６以降において露出動作処理及びこれによって取得した画像データの記録処理が実行される。
【００７７】
まず、ステップＳ１６において、演算制御回路１１は本カメラ１の内部に設けられる各所定の回路を制御して露出動作処理を開始し、次のステップＳ１７において、設定されたガイドナンバーＧＮｏによって閃光発光動作が実行され、続いてステップＳ１８において、演算制御回路１１は露出動作処理を終了する。その後、ステップＳ１９の処理に進む。
【００７８】
ステップＳ１９において、演算制御回路１１はガイドナンバー切換フラグＦＧＣに「１」が設定されているか否かの確認を行なう。この場合において、ＦＧＣ＝１であればフラッシュマチック方式による調光制御が行なわれていることになるので、ステップＳ２０の処理に進む。また、ＦＧＣ≠１であれば予備発光方式による調光制御が行なわれていることになるので、ステップＳ２１の処理に進む。
【００７９】
つまり、本実施形態においては、本発光動作の実行時の閃光発光量（ＧＮｏ）を設定した調光方式によって、取得した画像信号に対する画像信号処理のうちの階調処理、具体的にはガンマ（γ）変換処理の補正量の切り換えを上述のステップＳ１９において行なっている。また、このように演算制御回路１１は、第１の調光手段と第２の調光手段とを切り換える切換手段の役目をしている。
【００８０】
上述のステップＳ１９において、ＦＧＣ＝１である（フラッシュマチック方式による調光制御が行なわれている）ことが確認されて、ステップＳ２０の処理に進むと、このステップＳ２０において、演算制御回路１１は、画像信号処理部１４のγ補正回路１４ａを制御してガンマ補正処理を行なう。この場合において、ガンマ補正量は通常の所定値よりも小さい補正量で処理されるように制御がなされる。このことは、撮影画面が逆光状態であったり、背景に高輝度物体がある場合等、背景が明るく主要被写体が暗くなってしまう傾向を防止するのに役立つ。その後、ステップＳ２２の処理に進む。
【００８１】
なお、γ補正とは、図１１の概念図に示すように１０ｂｉｔの入力信号を画像圧縮処理を行なう以前の画像信号である８ｂｉｔ信号に変換する際の入出力特性を変換する処理をいう。この場合において、例えばγ補正量を小さくすれば画像の暗部を引き上げて明るい画像とすることができるようになっている。
【００８２】
また、上述のステップＳ１９において、ＦＧＣ≠１である（予備発光方式による調光制御が行なわれている）ことが確認されて、ステップＳ２１の処理に進むと、このステップＳ２１において、演算制御回路１１は、画像信号処理部１４のγ補正回路１４ａを制御してガンマ補正処理を行なう。この場合において、ガンマ補正量は通常の所定値によって処理されるよう制御される。その後、ステップＳ２２の処理に進む。
【００８３】
ステップＳ２２において、演算制御回路１１は画像信号処理部１４を制御してその他の所定の画像信号処理を実行する。その後、ステップＳ２３の処理に進む。
【００８４】
ステップＳ２３において、演算制御回路１１は記録媒体部１６を制御して所定の記録媒体に対して所定の形態の画像データを記録する所定の記録処理を実行する。この記録処理が終了すると一連の撮影動作が終了する。
【００８５】
以上説明したように上記第１の実施形態によれば、さまざまな被写体状態に応じて最適な調光制御を行なうように切り換えて撮影動作を実行し、これと共に取得された画像信号に対しては、撮影動作時に用いた調光制御に応じた画像信号処理を施すようにしたので、所望の撮影画面内における主要被写体の背景からの影響を受けることなく常に良好な調光制御を行なって、常に良好な撮影結果、即ち画像信号（データ）を得ることができる。
【００８６】
ところで、上述の第１の実施形態のカメラにおいては、上述したようにいわゆるコンパクトタイプのカメラ１に対して本発明を適用した例を挙げているが、これとは別に、例えば光学式ファインダ装置を備えた一眼レフレックス方式の電子カメラに対しても本発明を適用することは容易である。以下に説明する本発明の第２の実施形態は、その例示である。
【００８７】
図１２は、本発明の第２の実施形態のカメラにおける電気回路のブロック構成図である。なお、本カメラの一部の構成は、上述の第１の実施形態のカメラと同様である。したがって、同様の構成部材については同じ符号を附してその詳細な説明は省略する。
【００８８】
図１２に示すように本実施形態のカメラ１Ａは、被写体像を結像させる撮影光学系１２と、この撮影光学系１２を介して入射する光束を受けて光電変換処理等を行ない所定の画像信号を生成する撮像素子１３と、この撮像素子１３の出力（アナログ画像信号）を受けてデジタル画像信号に変換するＡＤ変換部（ＡＤ部）１３ａと、このＡＤ変換部１３ａからの出力（デジタル画像信号）を受けて所定の信号処理を行なうと共に圧縮形態の画像データを生成する画像信号処理部１４と、この画像信号処理部１４からの出力（圧縮画像データ）を記録する各種の媒体等及びその駆動部等からなる記録媒体部１６と、撮影光学系１２を移動させるレンズ駆動部（ＬＤ）１２ａと、本カメラ１Ａの全体の制御を司る演算制御回路１１と、この演算制御回路１１を起動せしめる操作スイッチ１８と、補助照明光を発光させる閃光発光部１５と、この閃光発光部１５の発光制御等を行なう閃光発光部制御部１５ａと、撮像素子１３の受光面側の近傍に配設され当該撮像素子１３の受光面への露出時間を調節するシャッター幕２６と、このシャッター幕２６と撮影光学系１２との間の空間に設けられ当該撮影光学系１２からの入射光束をシャッター幕２６及び撮像素子１３の側又はファインダ光学系（後述するスクリーン２３・ペンタプリズム２２・接眼レンズ２２ａ等によって構成される）の側の何れか一方に導くべく撮影光学系１２の光軸上から退避する位置と同光軸上に配置される位置との間で移動自在に配設される主反射鏡（メインミラー）２４と、この主反射鏡２４が撮影光学系１２の光軸上に配置されたときの当該主反射鏡２４による反射光束の光路上に配置され当該反射光束によって形成される光学像を結像させると共に当該反射光束を透過させるスクリーン２３と、このスクリーン２３を透過した光束を受けて所定の方向（当該カメラ１Ａの後方側）へと導くと同時に像の左右を反転させるペンタゴナルダハプリズム（以下ペンタプリズムと略記する）２２と、ペンタプリズム２２による正像を拡大する接眼レンズ２２ａと、ペンタプリズム２２の近傍に設けられ当該ペンタプリズム２２に入射した光束の一部を受光して測光動作に寄与する所定の電気信号を出力するファインダ内測光センサ２０と、このファインダ内測光センサ２０からの出力信号を受けて測光動作を行なう測光部２１と、主反射鏡２４が撮影光学系１２の光軸上に配置されているときに当該主反射鏡２４の一部を透過する光束をＡＦ（オートフォーカス）光学系（詳細は後述する）の側へと導く副反射鏡（サブミラー）２５と、この副反射鏡２５の反射光束を受光して視野を分割するフィールドレンズ２７と、このフィールドレンズ２７を透過した光束の光路を所定の方向へと折り曲げる光路屈曲鏡２８と、この光路屈曲鏡２８の反射光束の光路上に設けられ当該反射光束を透過させて一対の被写体像を所定の位置に再結像させる再結像レンズ３０と、この再結像レンズ３０により形成される一対の被写体像を受光して合焦動作に寄与する所定の電気信号を生成するセンサアレイ３１と、主反射鏡２４が撮影光学系１２の光軸上から退避したときに撮影光学系１２を透過した光束であってシャッター幕２６に反射した反射光束を受光する測光光学系３２と、この測光光学系３２を透過した光束を受光して測光動作に寄与する所定の電気信号を出力するボディ内測光センサ３３と、このボディ内測光センサ３３からの出力信号を受けて調光制御を行なう調光部３４等等によって構成されている。
【００８９】
本実施形態のカメラ１Ａは、上述したように一眼レフレックス方式の電子カメラである。このカメラ１Ａの撮像素子１３は、いわゆる電子シャッター機能を持たない多画素化された大型のものが適用されている。したがって、撮像素子１３の受光面側の近傍には、上述したようにシャッター幕２６が配設されており、撮像素子１３は、当該シャッター幕２６が開状態となっている期間のみ撮影光学系１２からの光束を受光し得るように構成されている。このシャッター幕２６自体の構成は、従来の一眼レフレックス方式のカメラにおいて一般的に利用されているものが適用されている。
【００９０】
ここで、シャッター幕２６の構成について、図１３の概略図を用いて簡単に説明する。
【００９１】
図１３に示すようにシャッター幕２６は、先幕２６ａ及び後幕２６ｂの二つの幕部材によって構成されている。通常状態においては先幕２６ａが撮像素子１３の受光面の前面に配置され、当該撮像素子１３の受光面は遮蔽された状態にある。したがってこれにより、撮影光学系１２からの光束は撮像素子１３の受光面に到達し得ないようになっている。
【００９２】
露光動作が実行されると、まず主反射鏡２４及び副反射鏡２５が所定の退避位置に移動する（詳細は後述する）。この状態で先幕２６ａが矢印Ｙ１方向に動き出す。続いて所定の時間を置いてから後幕２６ｂがＹ２方向（同じ方向である）に動き出す。したがって、先幕２６ａと後幕２６ｂとの間には所定の隙間が生じることになる。この隙間寸法を調節することにより、つまり先幕２６ａと後幕２６ｂの動き出す時間を調節することにより撮像素子１３への露出時間（シャッター速度）を調節することができるようになっている。
【００９３】
また、先幕２６ａの表面には所定のパターンが形成されていて、この先幕２６ａの表面から反射する光束が標準反射率となるようにされている。
【００９４】
先幕２６ａの表面からの反射光束は測光光学系３２を介してボディ内測光センサ３３によって受光されるようになっている。ボディ内測光センサ３３は、この入射光束を受けてこれを電気信号に変換するようになっている。その出力信号は調光部３４に出力され、この調光部３４において入射光量の測定及び所定の調光制御が行なわれるようになっている。つまり、当該カメラ１Ａにおける調光部３４はＴＴＬダイレクト調光方式の調光制御を行なう手段となっている。
【００９５】
なお、従来の一般的なカメラにおいてＴＴＬ調光方式の調光制御を行うものでは、例えば露出動作中にフイルム表面の反射光束を受光するようにしているものもある。しかし、撮像素子１３の表面は、一般的に光の反射に正反射成分が多くなることから、本実施形態のカメラ１においては、標準反射率で拡散反射する先幕２６ａの表面を用いて調光制御のための測光を行なうようにしている。
【００９６】
一方、上述したように主反射鏡２４は、シャッター幕２６と撮影光学系１２との間の空間において、撮影光学系１２の光軸上から退避する位置（以下、退避位置という）と同光軸上に配置される位置（以下、通常位置という）との間で移動自在に配設されている。そのために、当該主反射鏡２４は、例えば一端側がカメラ１Ａの内部固定部材（図示せず）に対して回動自在に配設されている。そして、当該主反射鏡２４が通常位置に配置されたときには、撮影光学系１２の光軸Ｏに対して角度略４５度だけ傾けた状態で固定されるようになっている。このとき、当該主反射鏡２４の反射面はファインダ光学系の側を向くように設定されている。したがって、撮影光学系１２を透過した入射光束の光路は、主反射鏡２４によってファインダ光学系の側に向けて折り曲げられるようになっている。これにより、撮影光学系１２によって形成される被写体像は、主反射鏡２４及びファインダ光学系を介することで正立正像の状態で観察することができるようになっている。
【００９７】
また、主反射鏡２４の一部の領域、例えば略中央部近傍の一部の領域は、撮影光学系１２からの光束の一部を透過させ得るように半透過鏡によって構成されている。そして、この半透過鏡で構成される領域に対向する部位には、副反射鏡２５が配設されている。
【００９８】
つまり、副反射鏡２５は、主反射鏡２４の背面側（撮像素子１３に対向する側の面）に対して、その一端部が所定方向に回動自在となるように軸支されている。この場合において、当該副反射鏡２５の反射面の側が上述の主反射鏡２４の半透過鏡の領域に対向するように設定されている。
【００９９】
そして、当該副反射鏡２５は、主反射鏡２４が通常位置に配置されたときに当該主反射鏡２４に対して所定の角度を有するように配置されている（図１２参照）。また、当該副反射鏡２５は、主反射鏡２４が退避位置に配置されたときには当該主反射鏡２４に対して略平行となる所定の位置に配置されるようになっている。これにより、主反射鏡２４が退避位置に移動すると同時に副反射鏡２５も撮影光学系１２の光路上から退避するようになっている。
【０１００】
主反射鏡２４及び副反射鏡２５が通常位置にあるときには、撮影光学系１２を透過した入射光束の一部は、主反射鏡２４の半透過鏡領域を透過した後、副反射鏡２５によって反射されることで、その光路が折り曲げられて、カメラ１Ａの所定の部位に設けられるフィールドレンズ２７を透過し、さらに光路屈曲鏡２８によってその光路が所定の方向へと折り曲げられて再結像レンズ３０を透過し、これによって一対の被写体像を再結像されるようになっている。この再結像レンズ３０によって形成される一対の被写体像は、センサアレイ３１の受光面上に結像するようになっている。このセンサアレイ３１は、これを受光して光電変換処理を行なうことによって、これを合焦動作に寄与する所定の電気信号に変換し、これを演算制御回路１１へと出力するようになっている。これを受けて演算制御回路１１は、所定の合焦処理を行なうようになっている。
【０１０１】
この合焦処理は、従来のカメラにおいて一般的に適用されている位相差検出方式の合焦制御が行なわれる。簡単に説明すると次のような処理が行なわれる。即ち、撮影光学系１２がレンズ駆動部１２ａによって光軸に沿う方向に移動される。このとき演算制御回路１１は、センサアレイ３１の出力を監視して、当該センサアレイ３１による一対の被写体像が所定の位置関係になったときに合焦状態であると判断し、その時点で撮影光学系１２の駆動を停止させる。
【０１０２】
一方、主反射鏡２４及び副反射鏡２５が通常位置にあるときには、上述したように撮影光学系１２を透過した入射光束は、主反射鏡２４の反射面によってその光路を角度略９０度折り曲げられてファインダ光学系の側へと導かれ、スクリーン２３上には所定の被写体像が結像するようになっている。当該被写体像はペンタプリズム２２及び接眼レンズ２２ａを介することで当該カメラ１Ａの使用者が正立正像で確認し得るようになっている。
【０１０３】
また、ペンタプリズム２２の内部を透過する光束の一部は、ファインダ内測光センサ２０の受光面を照射するようになっている。これを受けてファインダ内測光センサ２０は所定の光電変換を行なって所定の信号を生成し、これを測光部２１へと出力するようになっている。これに基づいて測光部２１は演算制御回路１１の制御によって閃光発光動作を伴わない通常の測光動作を行なうことになる。
【０１０４】
他方、当該主反射鏡２４が退避位置に配置されたときには、撮影光学系１２からの入射光束の光路から退避しこれを阻害しない所定の位置において、当該撮影光学系１２の光軸Ｏに対して略平行となるように固設されるようになっている。したがって、撮影光学系１２を透過した光束は、主反射鏡２４に阻害されることなくシャッター幕２６及び撮像素子１３の側に向けて入射するようになっている。つまり、主反射鏡２４を退避位置に配置した状態において、シャッター幕２６を所定の時間だけ開状態にすれば、その時間だけ撮像素子１３への露出が行なわれるようになっている。
【０１０５】
また、主反射鏡２４及び副反射鏡２５が退避位置に配置されたときには、撮影光学系１２から入射した光束はシャッター幕２６に向けて進み、上述したようにこのシャッター幕２６によって拡散反射されて、その一部が測光光学系３２を介してボディ内測光センサ３３によって受光され、これを受けてボディ内測光センサ３３はこれを電気信号に変換して、その出力信号を調光部３４に出力するようになっている。この調光部３４においては、所定の測光動作、即ち入射光量の測定及び所定の調光制御等が行なわれるようになっている。
【０１０６】
なお、ファインダ内測光センサ２０は、図１４に示すように撮影画面内の所定の受光領域において測光動作を行ない得るように形成されている。つまり、当該ファインダ内測光センサ２０の略中央部近傍の所定の領域を測光する受光部２０ａと、略周縁部近傍の所定の領域を測光する受光部２０ｂとかならり、例えば図６に示すような被写体状態（逆光状態）の検出を行ない得るようになっている。
【０１０７】
また、ボディ内測光センサ３３は、図１５に示すようにその受光面全域を三つに分割した形態の三つの測光領域３３ａ・３３ｂ・３３ｃを有して構成されている。そして、例えば図１６で示すような構図枠（撮影画面１２１）を設定して予備発光方式の調光制御を用いて撮影を行なう場合においては、図１５に示すボディ内測光センサ３３の測光領域３３ｃのみを用いて測光を行なうような制御がなされる。これは、例えば図１６に例示する構図のように太陽等の高輝度物体が撮影画面１２１内に含まれているときに、その高輝度物体を含めて測光を行なうと測光値に誤差が生じてしまうため、この高輝度物体の影響を避けるためになされる措置である。
【０１０８】
以上のように構成される本実施形態のカメラ１Ａを用いて行なわれる撮影動作時の各機能の作用を以下に説明する。
【０１０９】
図１７は、本実施形態のカメラ１Ａを用いて行なわれる撮影動作時の各機能の作用を示すタイミングチャートである。
【０１１０】
まず、演算制御回路１１は、センサアレイ３１の出力に基づいて撮影光学系１２を移動させて位相差検出方式による焦点調節動作を実行し合焦状態を得る（図１７Ａ）。次いでファインダ内測光センサ２０等を用いて露出値を決定し（図１７Ｂ）、撮影光学系１２の位置情報に基づいて被写体距離を算出する（図１７Ｃ）。そして、この被写体距離情報に基づいてフラッシュマチック方式によるガイドナンバー（閃光発光量）ＧＮｏ１を算出する（図１７Ｄ）。この距離算出は、撮影レンズのズーム位置と合焦位置とによって、合焦する被写体の距離が決定されることを利用する。
【０１１１】
次に、演算制御回路１１は主反射鏡２４の駆動制御を行なって、これを所定の退避位置に移動させる（ミラーアップ（ＵＰ）；図１７Ｅ）。この状態で演算制御回路１１はボディ内測光センサ３３を用いてシャッター幕２６への入射光束についての測光を行なう（図１７Ｆ）。この場合においては、まず予備発光を行なわない場合の測光動作を行なう（図１７Ｆ−Ｆ１）。その後、演算制御回路１１は閃光発光装置の閃光発光制御を行なって予備発光動作を実行し（図１７Ｇ−Ｇ１）、このときの測光動作を行なう（図１７Ｆ−Ｆ２）。そして、この測光結果に基づいて演算制御回路１１はガイドナンバー（閃光発光量）ＧＮｏ２の算出を行なう（図１７Ｄ）。続いて露出制御に移行する。
【０１１２】
この露出制御は、ファインダ内測光で決定された露出値に応じて二つのシャッター幕２６ａ・２６ｂを順次走行させて（図１７Ｈ・図１７Ｉ）、シャッター速度値ＳＳで設定される時間で撮像素子１３の受光面に撮影光学系１２からの入射光束を露出させる制御処理である。そして、シャッター幕２６が全開状態になったときに、本発光動作を実行する（図１７Ｇ−Ｇ２））。
【０１１３】
なお、設定されるシャッタ速度の関係からシャッター幕２６が全開状態にならない場合もある（高速シャッター速度が設定された場合）。この場合には、閃光発光部１５を所定時間連続的に発光させるよう制御するフラット発光制御が行なわれる。
【０１１４】
そして、本発光時の閃光発光量として、ＧＮｏ１とＧＮｏ２とのいずれによるかは、上述の第１の実施形態と同様の選択処理によって決定される（図７・図１８のフローチャート参照）。
【０１１５】
最後にシャッター幕２６の走行が完了すると、演算制御回路１１は主反射鏡２４の駆動制御を行なって、これを所定の通常位置となるように移動させる（ミラーダウン（ＤＯＷＮ）；図１７Ｅ）。
【０１１６】
次に、本実施形態のカメラによる撮影動作の流れを図１８のフローチャートに基づいて以下に説明する。
【０１１７】
まず、本実施形態のカメラ１Ａの電源がオン状態にあるときに当該カメラ１Ａの使用者が所定の操作部材、例えばシャッターレリースボタン（図示せず）等を操作することにより、撮影動作処理が開始されるのは上述の第１の実施形態のカメラ１と同様である。
【０１１８】
まず、ステップＳ３１において、操作がなされた所定の操作部材に連動する操作スイッチ１８からの信号を受けて、演算制御回路１１は所定の合焦動作を実行する。その後、ステップＳ３２の処理に進む。なお、ここで実行される合焦動作は上述したようにセンサアレイ３１の出力に基づく位相差検出方式による焦点調節動作である（図１７Ａ参照）。
【０１１９】
次のステップＳ３２において、演算制御回路１１はファインダ内測光センサ２０等を用いて測光動作を行なう（図１７Ｂ参照）。その後、ステップＳ３３の処理に進む。
【０１２０】
ステップＳ３３において、演算制御回路１１は上述のステップＳ３２で得られる測光データに基づいてシャッター速度値ＳＳを算出する（露出値の決定）。その後、ステップＳ３４の処理に進む。
【０１２１】
ステップＳ３４において、演算制御回路１１は上述のステップＳ３３で算出されたシャッター速度値ＳＳに基づいて閃光発光動作が必要であるか否かの判断を行なう。ここで、閃光発光動作が必要であると判断された場合には、次のステップＳ３５の処理に進む。また、閃光発光動作は不要であると判断された場合には、ステップＳ５０の処理に進む。
【０１２２】
ステップＳ３５において、演算制御回路１１は上述のステップＳ３１の合焦動作によって設定された撮影光学系１２の位置情報に基づいて被写体距離Ｌ（図１・図１７Ｃ参照）を算出する。その後、ステップＳ３６の処理に進む。
【０１２３】
ステップＳ３６において、演算制御回路１１はフラッシュマチック方式による調光制御によってガイドナンバー（閃光発光量）ＧＮｏ１の算出を行なう（図１７Ｄ参照）。この算出処理には使用者によって任意に、または上述のステップＳ３３において行なわれる露出決定処理において設定される絞り値等も考慮される。その後、ステップＳ３７の処理に進む。
【０１２４】
ステップＳ３７において、演算制御回路１１は主反射鏡２４の駆動制御を行なって、これを所定の退避位置に移動させる（ミラーアップ（ＵＰ）；図１７Ｅ参照）。その後、ステップＳ３８の処理に進む。
【０１２５】
ステップＳ３８において、演算制御回路１１はボディ内測光センサ３３を用いてシャッター幕２６への入射光束についての測光を行なう。ここで行なう測光動作は、予備発光を行なわない場合の測光動作である（図１７Ｆ−Ｆ１参照）。その後、ステップＳ３９の処理に進む。
【０１２６】
ステップＳ３９において、演算制御回路１１は閃光発光装置の閃光発光制御を行なって予備発光動作を実行しながら（図１７Ｇ−Ｇ１参照）、上述のステップＳ３８と同様にボディ内測光センサ３３を用いた測光動作を行なう（図１７Ｆ−Ｆ２参照）。その後、ステップＳ４０の処理に進む。
【０１２７】
ステップＳ４０において、演算制御回路１１は上述のステップＳ３８・Ｓ３９の測光結果に基づいてガイドナンバー（閃光発光量）ＧＮｏ２の算出を行なう（図１７Ｄ参照）。その後、ステップＳ４１の処理に進む。
【０１２８】
なお、上述の第１の実施形態においては、本発光時の閃光発光量ＧＮｏ２を算出する際（図７のステップＳ１０）に、予備発光方式の調光制御を用いて予備発光の有無により生じる被写体輝度の変化を検出し、その検出結果に基づいた演算処理を行うようにしている。
【０１２９】
本実施形態においても、これに準じる処理が行なわれることになるが、本実施形態のカメラ１Ａにおいては、ボディ内測光センサ３３を三分割センサとしていることから、以下に示すような算出処理がなされる。
【０１３０】
即ち、本実施形態のカメラ１Ａにおけるボディ内測光センサ３３では、図１９の光量分布図に示すように三つの測光領域３３ａ・３３ｂ・３３ｃに対応した三つの光量データ３３ａａ・３３ｂｂ・３３ｃｃが得られることになる。なお、図１９で示す例は、図１６に示す構図で測光動作を行なった場合の測光結果（光量分布）を示す一例である。
【０１３１】
そこで、この場合には、閃光発光による効果が最も期待できる、即ち予備発光を行なわない場合の測光結果（図１９の実線で示す部位）と予備発光を行なった場合の測光結果（図１９で示す点線で示す部位）との差が最も大きくなる場合の測光領域（図１９に示す例では測光領域３３ｃ）の光量データ（３３ｃｃ）が所定の基準値Ｙになるまでの光量差（ΔＢＶ０）と予備発光の有無による測光結果（光量）の変化量（ΔＢＶ１）との比から本発光時のガイドナンバーＧＮｏを算出する。
【０１３２】
また、この場合において、図１６に示すような構図が設定されている場合（高輝度物体を画面内に含む場合）には、撮影画面内に含まれる高輝度物体が設定されるべき閃光発光量ＧＮｏ２に及ぼす影響を除去するために、予備発光の有無による測光結果の変化量が少ない測光領域（図１９に示す例では測光領域３３ａａ）の測光結果は用いずに閃光発光量の算出処理を行なう。
【０１３３】
続いてステップＳ４１において、演算制御回路１１は上述のステップＳ３６・Ｓ４０において得られた閃光発光量ＧＮｏ１・ＧＮｏ２の比較を行なう。ここで、ガイドナンバーＧＮｏ１に比べてガイドナンバーＧＮｏ２が小さい場合（ＧＮｏ２＜ＧＮｏ１）には、次のステップＳ４２の処理に進み、このステップＳ４２において、ガイドナンバーＧＮｏ１を本発光時のガイドナンバーＧＮｏとして設定する（ＧＮｏ←ＧＮｏ１）。その後、ステップＳ４４の処理に進む。
【０１３４】
このことは、図４で示すような被写体状態における状況、即ちボディ内測光センサ３３による測光結果に誤差が生じることが予想される状況に対応するための措置である。具体的には、図４の被写体状態において、背景の反射物体等に起因して反射光束が多くなることから、実際に必要となる閃光発光量よりも設定される閃光発光量が不足傾向になることを抑制する措置である。
【０１３５】
一方、上述のステップＳ４１において、ガイドナンバーＧＮｏ１に比べてガイドナンバーＧＮｏ２が大きい又は等しい（ＧＮｏ２≧ＧＮｏ１；ＧＮｏ２＜ＧＮｏ１以外の状態）ことが確認されるとステップＳ４３の処理に進み、このステップＳ４３において、ガイドナンバーＧＮｏ２を本発光時のガイドナンバーＧＮｏとして設定する（ＧＮｏ←ＧＮｏ２）。その後、ステップＳ４４の処理に進む。
【０１３６】
ステップＳ４４以降の処理において、演算制御回路１１は露出動作処理及びこれによって取得した画像データの記録処理を実行する。
【０１３７】
まず、ステップＳ４４において、演算制御回路１１はシャッター幕２６のうち先幕２６ａを走行させる（図１７Ｈ参照）。その後、ステップＳ４５の処理に進む。
【０１３８】
ステップＳ４５において、演算制御回路１１はシャッター幕２６が全開状態になったときに閃光発光部制御部１５ａを介して閃光発光部１５を駆動制御して本発光動作を実行する（図１７Ｇ−Ｇ２参照）。その後、ステップＳ４６の処理に進む。
【０１３９】
なお、上述したように設定されるシャッタ速度の関係からシャッター幕２６が全開状態にならない場合にはフラット発光制御が実行される。
【０１４０】
ステップＳ４６において、演算制御回路１１は撮像素子１３を駆動制御して所定の露出処理を実行する。その後、ステップＳ４７の処理に進む。
【０１４１】
ステップＳ４７において、演算制御回路１１はシャッター幕２６のうち後幕２６ｂを走行させる（図１７Ｉ参照）。その後、ステップＳ４８の処理に進む。
【０１４２】
ステップＳ４８において、演算制御回路１１は画像信号処理部１４を制御して所定の画像信号処理を実行する。その後、ステップＳ４９の処理に進む。
【０１４３】
なお、この場合において実行する画像信号処理は、上述の本実施形態と同様に閃光発光方式に応じて切り換えるようにすれば、より効果的な結果を得ることができる。
【０１４４】
ステップＳ４９において、演算制御回路１１は記録媒体部１６を制御して所定の記録媒体に対して所定の形態の画像データを記録する所定の記録処理を実行する。この記録処理が終了すると一連の撮影動作が終了する。
【０１４５】
一方、上述のステップＳ３４において、ステップＳ５０の処理に分岐した場合、即ち閃光発光動作が不要であると判断された場合には、ステップＳ５０以降の処理において、閃光発光を伴わない露出制御処理が実行される。
【０１４６】
まず、ステップＳ５０において、演算制御回路１１は主反射鏡２４の駆動制御を行なって、これを所定の退避位置に移動させる（ミラーアップ）。これは上述のステップＳ３７と同様の処理である。その後、ステップＳ５１の処理に進む。
【０１４７】
ステップＳ５１において、演算制御回路１１はシャッター幕２６のうち先幕２６ａを走行させる。これは上述のステップＳ４４と同様の処理である。その後、ステップＳ５２の処理に進む。
【０１４８】
ステップＳ５２において、演算制御回路１１は撮像素子１３を駆動制御して所定の露出処理を実行する。これは上述のステップＳ４６と同様の処理である。その後、ステップＳ４７の処理に進む。
【０１４９】
以上説明したように上記第２の実施形態によれば、一眼レフレックス方式のカメラ１Ａにおいても上述の第１の実施形態と同様の効果を得ることができる。
【０１５０】
【発明の効果】
以上述べたように本発明によれば、閃光発光を伴う撮影を行なうのに際して、主要被写体の背景状態等の撮影条件によって生じる測光誤差を考慮して閃光発光装置による調光制御を正確に行ない、これにより撮影を所望する撮影環境における被写体の状態に関らず常に適切な露出で撮影を行なうことができ、よって常に良好な撮影結果を得ることができるように構成したカメラ及び電子カメラを提供することである。
【０１５１】
また、本発明によれば、主要被写体の背景からの光束に影響されずに、常に的確な閃光発光の調光制御を行なって、被写体状態に適した画像データを得ることができるようにしたカメラ及び電子カメラを提供することができる。
【図面の簡単な説明】
【図１】本発明の第１の実施形態のカメラにおける電気回路のブロック構成図。
【図２】図１のカメラにおいてバウンス撮影を行なう際のようすを示す概念図。
【図３】図１のカメラにおいて写真用光学フイルター等を使用する撮影の概念図。
【図４】図１のカメラにおいて撮影を行なう際に主要被写体の背景に高反射率の被写体が存在する場合の構図の一例を示す図。
【図５】図４の被写体状態において撮影を行なう際に図１のカメラの撮影画面内の所定領域における輝度分布を示す図。
【図６】図１のカメラにおいて撮影を行なう際に主要被写体の背景に太陽等の高輝度物体が存在するいわゆる逆光状態での構図の一例を示す図。
【図７】図１のカメラによる撮影動作時の作用を説明するフローチャート。
【図８】図６の被写体状態（撮影画面が逆光状態）における測光結果の一例を示す図。
【図９】図４の被写体状態で所定の撮影画面内において予備発光を行なった場合及び非発光時のそれぞれの輝度分布を示す図。
【図１０】図９と同じ撮影画面内において本発光を行なう際に得られるものと予想される輝度分布及び非発光時の実際の輝度分布を示す図。
【図１１】図１のカメラにおいて行なわれる画像処理のうちγ補正処理を説明する概念図。
【図１２】本発明の第２の実施形態のカメラにおける電気回路のブロック構成図。
【図１３】図１２のカメラにおけるシャッター幕の基本構成を示す概略図。
【図１４】図１２のカメラの撮影画面内のファインダ内測光センサの受光領域を示す概念図。
【図１５】図１２のカメラにおけるボディ内測光センサの三つの測光領域を示す概念図。
【図１６】図１２のカメラにおいて撮影を行なう際に高輝度物体を画面内に含む場合の構図の一例を示す図。
【図１７】図１２のカメラを用いて行なわれる撮影動作時の各機能の作用を示すタイミングチャート。
【図１８】図１２のカメラによる撮影動作の流れを示すフローチャート。
【図１９】図１２のカメラにおけるボディ内測光センサ３３による測光結果（光量分布）を示す図。
【符号の説明】
１・１Ａ……カメラ
１１……演算制御回路
１２……撮影光学系
１２ａ……レンズ駆動部
１２ｂ……レンズ位置検出部
１２ｃ……写真用光学フイルター
１３……撮像素子
１３ａ……ＡＤ変換部
１４……画像信号処理部
１４ａ……ガンマ補正回路
１５……閃光発光部
１５ａ……閃光発光部制御部
１６……記録媒体部
１７……コントラスト判定部
１８……操作スイッチ
２０……ファインダ内測光センサ
２０ａ……受光部
２０ｂ……受光部
２１……測光部
２２……ペンタプリズム
２２ａ……接眼レンズ
２３……スクリーン
２４……主反射鏡
２５……副反射鏡
２６……シャッター幕
２６ａ……先幕
２６ｂ……後幕
２７……フィールドレンズ
２８……光路屈曲鏡
３０……再結像レンズ
３１……センサアレイ
３２……測光光学系
３３……ボディ内測光センサ
３４……調光部
１１０……主要被写体
１１０ａ……高輝度物体
１１０ｂ……被写体
１１１……壁・天井
１１２……高輝度物体
１２０……撮影画面
【図１】
2004264783.tif 000003
【図２】
2004264783.tif 000004
【図３】
2004264783.tif 000005
【図４】
2004264783.tif 000006
【図５】
2004264783.tif 000007
【図６】
2004264783.tif 000008
【図７】
2004264783.tif 000009
【図８】
2004264783.tif 000010
【図９】
2004264783.tif 000011
【図１０】
2004264783.tif 000012
【図１１】
2004264783.tif 000013
【図１２】
2004264783.tif 000014
【図１３】
2004264783.tif 000015
【図１４】
2004264783.tif 000016
【図１５】
2004264783.tif 000017
【図１６】
2004264783.tif 000018
【図１７】
2004264783.tif 000019
【図１８】
2004264783.tif 000020
【図１９】
2004264783.tif 000021